(57)【特許請求の範囲】
【請求項１】
手元側は太径であり、先端側は先端へ向かって徐変縮径する芯線と、
素線直径が０．０２０ｍｍ以上０．０４０ｍｍ以下で、引張強さが２２００ＭＰａ以上３５００ＭＰａ以下のオーステナイト系ステンレス鋼線の素線を螺旋状に巻いて形成され、前記芯線の先端部の外側で、先端が前記芯線の先端に、後端が前記芯線の先端部に接合される内側コイルと、
先端側が放射線不透過性の素線、後端側が素線直径０．０５５ｍｍ以上０．０９０ｍｍ以下で引張強さが２２００ＭＰａ以上３５００ＭＰａ以下の放射線透過性のオーステナイト系ステンレス鋼線の素線を螺旋状に巻いて、前記内側コイルよりも前記芯線方向に長く、前記内側コイルと同心で形成され、前記芯線に前記内側コイルを取り付けた状態で、前記内側コイルの外側で、先端が前記芯線の先端に、後端が前記芯線の先端部に接合される外側コイルとを備え、
前記内側コイルと前記外側コイルは、手元側から先端側へ向かって、太径等径部、中間テーパ部、小径等径部を有し、
前記小径等径部の先端部には、コイルピッチが素線直径の２．００倍以上３．５０倍以下の内側疎巻き部が設けられ、
前記芯線に前記内側コイル及び前記外側コイルを取り付けた状態で、前記内側疎巻き部の前記小径等径部の外側には、コイルピッチが素線直径の１．０５倍以上１，９０倍以下の外側疎巻き部が設けられ、
前記内側疎巻き部のコイルピッチと前記外側疎巻き部のコイルピッチは異なり、
前記内側コイルの小径等径部の外径をＤｉ１、大径等径部の外径をＤｉ２、前記外側コイルの小径等径部の外径をＤｏ１、大径等径部の外径をＤｏ２としたときに、
前記内側コイルの外径比（Ｄｉ２／Ｄｉ１）は１．１５以上２．８０以下であり、
前記外側コイルの外径比（Ｄｏ２／Ｄｏ１）は１．１０以上１．８０以下であり、
前記内側コイルの外径比（Ｄｉ２／Ｄｉ１）は、前記外側コイルの外径比（Ｄｏ２／Ｄｏ１）よりも大きく｛（Ｄｉ２／Ｄｉ１）＞（Ｄｏ２／Ｄｏ１）｝され、
前記外側コイルの後端側には、ばね指数Ｃ１が２．８以上６．８以下で、初張力によるねじり応力をτ１（Ｎ／ｍｍ2）としたときに、
−１１．２Ｃ１＋１１１．７≦τ１≦−３８．７Ｃ１＋３７０．６の式を満たし、コイルピッチが密になる外側密巻き部が設けられ、
前記内側コイルの後端側には、ばね指数Ｃ２が２．８以上６．８以下で、初張力によるねじり応力をτ２（Ｎ／ｍｍ2）としたときに、
−１１．２Ｃ２＋１１１．７≦τ２≦−３８．７Ｃ２＋３７０．６の式を満たし、コイルピッチが密になる内側密巻き部が設けられることを特徴とする医療用ガイドワイヤ。
【請求項２】
前記芯線に前記外側コイル及び前記内側コイルを取り付けた状態で、前記外側コイルのうち前記外側密巻き部と前記外側疎巻き部の境界を含む位置に、前記内側密巻き部を配置させ、
前記内側コイルの初張力をＦ２（Ｎ）、前記外側コイルの初張力をＦ１（Ｎ）としたときに、Ｆ１＞Ｆ２の式を満たすことを特徴とする請求項１記載の医療用ガイドワイヤ。
【請求項３】
前記芯線に前記外側コイル及び前記内側コイルを取り付けた状態で、前記外側コイルのうち先端の前記放射線不透過性の素線と後端の前記放射線透過性の素線との境界を含む位置に、前記内側密巻き部を配置させ、
前記内側コイルの初張力をＦ２（Ｎ）、前記外側コイルの初張力をＦ１（Ｎ）としたときに、Ｆ１＞Ｆ２の式を満たすことを特徴とする請求項１記載の医療用ガイドワイヤ。
【発明の詳細な説明】
【技術分野】
【０００１】
本発明は、血管病変部の治療等に用いられる医療用ガイドワイヤに関する。
【背景技術】
【０００２】
従来、血管閉塞部や狭窄部等の血管病変部の拡径治療に際して、医療用ガイドワイヤ（以下、単にガイドワイヤという）が用いられている。このガイドワイヤは、芯線の先端部に単一のコイルを有するものや、芯線の先端部に内側コイル及び外側コイルを同軸上で有するものなどがある。これらガイドワイヤを用いて、先端部を血管内に挿入し、先端部が病変部に到達するまで血管内を進行させることにより、血管病変部の拡径治療が行われる。
【０００３】
かかる場合において、ガイドワイヤは、血管病変部での通過性能の向上を図るために、任意選択性能、塑性変形性能、及び回転伝達性能が必要になる。任意選択性能は、曲がりくねった複雑な経路の血管内や分岐血管部で任意の方向に進行させる性能をいう。塑性変形性能は、最先端部を「へ」の字形に屈曲して塑性変形させる性能をいう。回転伝達性能は、体外に位置する手元部（後端部）を回転させることで、挿通した芯線とともに、芯線と部分的に固着したコイルを介して先端部を回転させる性能をいう。
【０００４】
特許文献１には、コイルの中央部に密巻き部が設けられ、この密巻き部の両端に疎巻き部が設けられたガイドワイヤが記載されている。
【０００５】
特許文献２には、芯線を貫挿した内側コイルの外側に、内側コイルと同心で外側コイルを配した二重構造のガイドワイヤが記載されている。
【先行技術文献】
【特許文献】
【０００６】
【特許文献１】特開２０１０−０２２２号公報
【特許文献２】特開平８−３１７９８９号公報
【発明の概要】
【発明が解決しようとする課題】
【０００７】
しかしながら、特許文献１は、コイルの両端部に疎巻き部を設け、中央部の密巻き部に初張力を作用させることによって、コイルの外周に樹脂被覆する際の樹脂被膜の偏りを防止しているものの、他の塑性変形性能や任意選択性能、回転伝達性能の向上について考慮されていない。
【０００８】
特許文献２には、内側コイルに放射線不透過材を用い、外側コイルにステンレスや形状記憶合金等を用い、芯線に主にばね用弾性材料を用いることによって、ガイドワイヤの回転伝達性能を向上させているものの、他の塑性変形性能や任意選択性能、回転伝達性能の向上等を総合的に向上させたいという要請がある。
【０００９】
本発明は上記課題を鑑みてなされたものであり、分岐血管部での任意選択性能と病変部内の通過性能とを向上させることができる医療用ガイドワイヤを提供することを目的とする。
【課題を解決するための手段】
【００１０】
上記目的を達成する為に、本発明は、芯線と、内側コイルと、外側コイルとを備える。芯線は、手元側は太径であり、先端側は先端へ向かって徐変縮径する。
内側コイルは、素線直径が０．０２０ｍｍ以上０．０４０ｍｍ以下で、引張強さが２２００ＭＰａ以上３５００ＭＰａ以下のオーステナイト系ステンレス鋼線の素線を螺旋状に巻いて形成され、前記芯線の先端部の外側で、先端が前記芯線の先端に、後端が前記芯線の先端部に接合される。
外側コイルは、先端側が放射線不透過性の素線、後端側が素線直径０．０５５ｍｍ以上０．０９０ｍｍ以下で引張強さが２２００ＭＰａ以上３５００ＭＰａ以下の放射線透過性のオーステナイト系ステンレス鋼線の素線を螺旋状に巻いて、前記内側コイルの外側で、前記内側コイルよりも前記芯線方向に長く、前記内側コイルと同心で形成され、前記芯線に前記内側コイルを取り付けた状態で、先端が前記芯線の先端に、後端が前記芯線の先端部に接合される。
前記内側コイルと前記外側コイルは、手元側から先端側へ向かって、太径等径部、中間テーパ部、小径等径部を有する。
前記小径等径部の先端部には、コイルピッチが素線直径の２．００倍以上３．５０倍以下の内側疎巻き部が設けられ、前記芯線に前記内側コイル及び前記外側コイルを取り付けた状態で、前記内側疎巻き部の前記小径等径部の外側には、コイルピッチが素線直径の１．０５倍以上１，９０倍以下の外側疎巻き部が設けられ、前記内側疎巻き部のコイルピッチと前記外側疎巻き部のコイルピッチは異なる。
前記内側コイルの小径等径部の外径をＤｉ１、大径等径部の外径をＤｉ２、前記外側コイルの小径等径部の外径をＤｏ１、大径等径部の外径をＤｏ２としたときに、
前記内側コイルの外径比（Ｄｉ２／Ｄｉ１）は１．１５以上２．８０以下であり、
前記外側コイルの外径比（Ｄｏ２／Ｄｏ１）は１．１０以上１．８０以下であり、
前記内側コイルの外径比（Ｄｉ２／Ｄｉ１）は、前記外側コイルの外径比（Ｄｏ２／Ｄｏ１）よりも大きい｛（Ｄｉ２／Ｄｉ１）＞（Ｄｏ２／Ｄｏ１）｝。
前記外側コイルの後端側には、ばね指数Ｃ１が２．８以上６．８以下で、初張力によるねじり応力をτ１（Ｎ／ｍｍ2）としたときに、
−１１．２Ｃ１＋１１１．７≦τ１≦−３８．７Ｃ１＋３７０．６の式を満たし、コイルピッチが密になる外側密巻き部が設けられる。
前記内側コイルの後端側には、ばね指数Ｃ２が２．８以上６．８以下で、初張力によるねじり応力をτ２（Ｎ／ｍｍ2）としたときに、
−１１．２Ｃ２＋１１１．７≦τ２≦−３８．７Ｃ２＋３７０．６の式を満たし、コイルピッチが密になる内側密巻き部が設けられる。
【００１１】
前記外側密巻き部及び前記内側コイルは、引張強さが２２００ＭＰａ以上３５００ＭＰａ以下のオーステナイト系ステンレス鋼線の素線を用いるとしたのは、外側密巻き部及び前記内側密巻き部は、縮径伸線加工、又は縮径伸線加工と熱処理とを組み合わせることにより引張強さを容易に向上させることができ、かつ、高い横弾性係数を得て高いねじり応力を得ることができるからである。さらに、後述するばね指数とねじり応力との相関関係において、ねじり応力を向上させ、先端側への回転伝達性能を向上させることができるからである。
【００１２】
又、前記内側コイルと前記外側コイルは、手元側から先端側へ向かって、大径等径部、中間テーパ部、小径等径部を有し、前記内側疎巻き部は、前記小径等径部の先端部に設けられ、前記外側疎巻き部は、前記芯線に前記内側コイル及び前記外側コイルを取り付けた状態で、前記内側疎巻き部の前記小径等径部の外側に少なくとも設けることを特徴とする。
この理由は、ねじりモーメントは大径等径部と小径等径部の外径比に比例する為、手元側の外径を径大化し、先端側を径小化すれば、その外径比に対応して手元側の芯線の回転による先端側への回転伝達性能を向上させることができるからである。又、内側コイルの内側疎巻き部と外側コイルの外側疎巻き部とを芯線方向で同一位置に設けることにより、先端の柔軟性の確保と「へ」の字形の易屈曲性と塑性変形性能の向上効果が得られるからである。これにより、病変部への分岐血管部での所望の病変部血管への任意選択性の向上、及び、病変部内の通過性を向上させることができる。
【００１３】
又、前記内側疎巻き部は、コイルピッチが素線直径の２．００倍以上３．５０倍以下であり、前記外側疎巻き部は、コイルピッチが素線直径の１．０５倍以上１．９０倍以下であり、前記内側疎巻き部のコイルピッチと前記外側疎巻き部のコイルピッチは異なることを特徴とする。この理由は、各疎巻き部において、内側コイルの素線が外側コイルの素線の間隙へ食い込んだり、逆に、外側コイルの素線が内側コイルの素線の間隙へ食い込んだりする噛み合い現象を防ぐことができるからである。
【００１４】
又、前記内側コイルの小径等径部の外径をＤｉ１、大径等径部の外径をＤｉ２、前記外側コイルの小径等径部の外径をＤｏ１、大径等径部の外径をＤｏ２としたときに、前記内側コイルの外径比（Ｄｉ２／Ｄｉ１）が１．１５以上２．８０以下であり、前記外側コイルの外径比（Ｄｏ２／Ｄｏ１）が１．１０以上１．８０以下であり、前記内側コイルの外径比（Ｄｉ２／Ｄｉ１）は、前記外側コイルの外径比（Ｄｏ２／Ｄｏ１）よりも大きい｛（Ｄｉ２／Ｄｉ１）＞（Ｄｏ２／Ｄｏ１）｝ことを特徴とする。この理由は、内側コイルの後端接合部の芯線の直径は、外側コイルの後端接合部の芯線の直径よりも細い場合に、手元側の芯線を回転させたとき、細径の芯線と接合された内側コイルのねじりモーメントは、大径の芯線と接合された外側コイルのねじりモーメントよりも、接合部の芯線の縮径分に応じて低くなり、この内側コイルのねじりモーメントの低下分を、内側コイルの外径比を高めることによって補完し、最先端部への回転伝達性能をより高めることができるからである。又、上記同様に、内側コイルの外径比（Ｄｉ２／Ｄｉ１）や外側コイルの外径比（Ｄｏ２／Ｄｏ１）に一定範囲の幅を持たせたのは、治療する部位の血管内径と、拡径治療に用いる各医療用具の実用寸法を併せて考慮したからである。
【００１５】
そして、前記外側コイルの後端側に形成され、ばね指数Ｃ１が２．８以上６．８以下で、初張力によるねじり応力をτ１（Ｎ／ｍｍ2）としたときに、−１１．２Ｃ１＋１１１．７≦τ１≦−３８．７Ｃ１＋３７０．６の式を満たし、コイルピッチが密になる外側密巻き部と、前記内側コイルの後端側に少なくとも形成され、ばね指数Ｃ２が２．８以上６．８以下で、初張力によるねじり応力をτ２（Ｎ／ｍｍ2）としたときに、−１１．２Ｃ２＋１１１．７≦τ２≦−３８．７Ｃ２＋３７０．６の式を満たし、コイルピッチが密になる内側密巻き部とを備えたことを特徴とする。この理由は、オーステナイト系ステンレス鋼線の縮径伸線加工と熱処理とを組み合わせることにより引張強さを容易に向上させることができ、かつ、高い横弾性係数を得て高いねじり応力が得られ、さらに、負のコイルピッチを設けて巻回成形することにより、手元側の外側密巻き部及び密巻き部の初張力Ｆ１、Ｆ２を高めたことにより、先端側に疎巻き部が設けられた場合であっても、前記内側コイルの外径比を外側コイルの外径比よりも高めることと併用して、先端側への回転伝達性能をより向上させることができるからである。さらに、手元側の高い初張力を有する外側密巻き部と、先端側の素線直径の２倍未満の一定範囲のコイルピッチの外側疎巻き部との併用により、後述するパラレルワイヤ手技における２本のガイドワイヤのコイル同士の噛み合い現象を防ぐことができるからである。
【００１６】
前記芯線に前記外側コイル及び内側コイルを取り付けた状態で、前記外側コイルのうち前記外側密巻き部と前記外側疎巻き部との境界を含む位置に、前記内側密巻き部を配置させ、前記内側コイルの初張力をＦ２（Ｎ）とし、前記外側コイルの初張力をＦ１（Ｎ）としたときに、Ｆ１＞Ｆ２の式を満たすことが好ましい。この場合には、剛性が急激に変化しやすい外側疎巻き部と外側密巻き部との境界部において曲率半径を徐変減少させ、局部変形を防ぐことができる。従って、血管内での挿入性を向上させることができる。
【００１７】
前記芯線に前記外側コイル及び内側コイルを取り付けた状態で、前記外側コイルのうち先端の前記放射線不透過性の素線と後端の前記放射線透過性の素線との境界を含む位置に、前記内側密巻き部を配置させ、前記内側コイルの初張力をＦ２（Ｎ）とし、前記外側コイルの初張力をＦ１（Ｎ）としたときに、Ｆ１＞Ｆ２の式を満たすことが好ましい。この場合には、剛性が急激に変化しやすい外側疎巻き部の素線と外側密巻き部の素線との境界部において曲率半径を徐変減少させ、局部変形を防ぐことができる。従って、血管内での挿入性を向上させることができる。
【００１８】
前記外側密巻き部及び前記内側コイルに用いるオーステナイト系ステンレス鋼線の素線は、外観が鏡面状であることが好ましい。前記外側密巻き部及び前記内側密巻き部は、オーステナイト系ステンレス鋼線の素線を螺旋状に巻いて形成する際に、負のコイルピッチを設けて巻回成形したため、素線が自由に回転することができずにねじられた形で巻回成形されている。このため、前記外側密巻き部及び前記内側密巻き部には、隣接した素線同士が初張力による圧縮力を受け、摩擦抵抗力が生じている。従って、前記外側密巻き部及び前記内側密巻き部に用いるオーステナイト系ステンレス鋼線の外観を鏡面状とすることにより、隣接する素線が鏡面状で、かつ、同一材料であるため、隣接する素線相互に強い凝着力が作用して摩擦抵抗力が増大するので、先端側への回転伝達性能を向上させることができる。
【発明の効果】
【００１９】
本発明によれば、高い引張強さをもつオーステナイト系ステンレス鋼線を用いることにより高い横弾性係数と高いねじり応力を得て、又外側コイルと内側コイルにおけるばね指数Ｃ１、Ｃ２と外側密巻き部と内側密巻き部のねじり応力τ１、τ２を一定範囲として、手元側の外側密巻き部及び内側密巻き部の初張力Ｆ１、Ｆ２を高めたことにより、先端側に疎巻き部が設けられた場合であっても、内側コイルの外径比を外側コイルの外径比よりも高めることと併用して、先端側への回転伝達性能をより向上させることができる。又、手元側の高い初張力を有する外側密巻き部と、先端側の素線直径の２倍未満の一定範囲のコイルピッチの外側疎巻き部との併用により、内側コイルと外側コイルのコイル同士の噛み合いを防ぐのみならず、後述するパラレルワイヤ手技における２本のガイドワイヤのコイル同士の噛み合いを防ぐことができる。
【図面の簡単な説明】
【００２０】
【図１】本発明の第１実施形態の医療用ガイドワイヤの一部を切り欠いて示す側面図である。
【図２】同実施形態の医療用ガイドワイヤの要部の各部寸法を示す側面図である。
【図３】内側コイルと外側コイルのばね指数とねじり応力との相関関係を示す。
【図４】本発明の医療用ガイドワイヤを評価するために用いた評価装置の断面図である。
【図５】本発明の医療用ガイドワイヤの特性図を示す。
【図６】第２実施形態の医療用ガイドワイヤの要部の各部寸法を示す側面図である。
【発明を実施するための形態】
【００２１】
（第１実施形態）
図１に示すように、ガイドワイヤ１０は、芯線１１と、外側コイル１３と、内側コイル１４と、これらを接合する接合部１５Ａ，１５Ｂ，１５Ｃ，１５Ｄとを有する。芯線１１は、ステンレス鋼製、又はＮｉ−Ｔｉ合金製である。例えば、特開２００２−６９５８６号公報で説明されているように伸線処理と焼きなまし処理を繰り返すことにより、高強度のステンレス鋼製の芯線１１が製造される。又は、特開２００２−６９５５５号公報で説明されているように所定条件下で熱処理を施すことにより、Ｎｉ−Ｔｉ合金製の芯線１１が製造される。尚、本発明のガイドワイヤ１０は、長さに比べて直径が極めて小さな値となっている。このため、本発明のガイドワイヤ１０は、縦横の縮尺率を同じにすると所定のエリアに図示することが困難となるため、一部を誇張したり、省略したりして図示している。
【００２２】
芯線１１は、手元側から順に、第１等径部１１Ａ、第１テーパ部１１Ｂ、第２等径部１１Ｃ、第２テーパ部１１Ｄ、第３等径部１１Ｅ、第３テーパ部１１Ｆ、第４等径部１１Ｇを有する。芯線１１は、手元側から先端側へ向かうに従い、外径が例えば０．３５５６ｍｍ（０．０１４インチで心臓血管治療用）から０．０６０ｍｍへと小さくなる。芯線１１の手元側の太径部分の外周には、ふっ素樹脂被膜１６が塗布などにより形成されている。
【００２３】
外側コイル１３は、先端側に放射線不透過性の白金線又は白金とニッケルの合金線等の素線８Ａ、後端側に放射線透過性のオーステナイト系ステンレス鋼線の素線８Ｂを用い、これら素線８Ａ，８Ｂを巻回成形したコイルである。外側コイル１３は、１本又は複数本の素線８Ａ，８Ｂを用いて、１条又は複数条の円筒に形成される。外側コイル１３の素線８Ａ，８Ｂの巻き方向は、例えばＺ巻（Ｚ字表記による右ねじ方向）である。
【００２４】
外側コイル１３には、第３等径部１１Ｅ、第３テーパ部１１Ｆ、及び第４等径部１１Ｇが挿入された状態で、芯線１１の先端部側の接合部（以下、先端接合部という）１５Ａと後端部側の接合部（以下、後端接合部という）１５Ｂとによって、芯線１１と接合される。先端接合部１５Ａは、先端が、例えば半球状のように断面が円弧状に丸くされた先丸形状であり、ガイドワイヤ１０の最先端部分に設けられる。
【００２５】
後端接合部１５Ｂは、外径が０．１６０ｍｍ以上０．１９０ｍｍ以下の第３等径部１１Ｅに設けられる。外側コイル１３の外周、先端接合部１５Ａの外周、及び後端接合部１５Ｂの外周には、親水性樹脂被膜１７が塗布などにより形成されている。
【００２６】
図２に示すように、外側コイル１３の外径Ｄｏは、０．３００ｍｍ以上０．３５５６ｍｍ以下であり、本実施形態では０．３２５ｍｍである。外側コイル１３の芯線方向の長さ（全長）Ｌｏは、１００ｍｍ以上３００ｍｍ以下であり、本実施形態では１６０ｍｍである。外側コイル１３の素線８Ａ，８Ｂの直径ｄｏは、０．０５５ｍｍ以上０．０９０ｍｍ以下であり、本実施形態では０．０６０ｍｍである。又、下肢血管閉塞部治療用等の比較的大きい血管治療に用いる場合を考慮すると、外側コイル１３の素線８Ａ，８Ｂの直径ｄｏは、０．０９０ｍｍである。外側コイル１３のコイル平均径Ｄａｏは、外径Ｄｏが０．３２５ｍｍであり、素線８Ａ，８Ｂの直径ｄｏが０．０６０ｍｍであることから、０．２６５ｍｍである。
【００２７】
外側コイル１３は、先端部側の疎巻き部（外側疎巻き部）１３Ａと、手元側の密巻き部（外側密巻き部）１３Ｂとを有する。
【００２８】
外側密巻き部１３Ｂは、引張強さが２２００ＭＰａ以上３５００ＭＰａ以下のオーステナイト系ステンレス鋼線の素線８Ｂにより形成される。外側密巻き部１３Ｂは、オーステナイト系ステンレス鋼線で形成したために、縮径伸線加工、又は縮径伸線加工と熱処理とを組み合わせることにより引張り強さを容易に向上させることができ、かつ、高い横弾性係数を得て高いねじり応力が得られる。さらに、引張強さが２２００ＭＰａ以上３５００ＭＰａ以下のオーステナイト系ステンレス鋼線は、例えば、特開２００２−６９５８６号等で説明されているように冷間伸線加工と熱処理を繰り返すことにより製造される。これにより、後述するばね指数とねじり応力との相関関係において、ねじり応力を向上させ、先端側への回転伝達性能を向上させることができる。より好ましくは、外側密巻き部１３Ｂは、外観が鏡面状のオーステナイト系ステンレス鋼線で形成される。ここで、外側密巻き部１３Ｂは、オーステナイト系ステンレス鋼線の素線８Ｂを螺旋状に巻いて形成する際に、負のコイルピッチを設けて巻回成形したため、素線８Ｂが自由に回転することができずにねじられた形で巻回成形されている。このため、外側密巻き部１３Ｂには、隣接した素線８Ｂ同士が初張力Ｆ１による圧縮力を受け、摩擦抵抗力が生じている。従って、外側密巻き部１３Ｂを、外観が鏡面状のオーステナイト系ステンレス鋼線で形成することにより、隣接する素線８Ｂが鏡面状で、かつ、同一材料であるため、隣接する素線８Ｂ相互に強い凝着力が作用して摩擦抵抗力が増大するので、先端側への回転伝達性能を向上させることができる。ここで、鏡面状とは、目視、及び触感により凸凹が感知できない程度、又は光が反射される程度の面状のことである。
【００２９】
外側コイル１３の先端側で素線８Ａを巻回成形したコイルの長さＬｏＡは、３０ｍｍ以上６０ｍｍ以下であり、本実施形態では４０ｍｍである。外側疎巻き部１３Ａは、先丸形状の先端接合部１５Ａの内側から手元側へ少なくとも２０ｍｍの範囲に設けられる。尚、本実施形態では、外側コイル１３の先端側で素線８Ａを巻回成形したコイルは、全長に渡って外側疎巻き部１３Ａである。そのため、外側コイル１３の先端側で素線８Ａを巻回成形したコイルを、外側疎巻き部１３Ａとして説明する。外側コイル１３の後端側で素線８Ｂを巻回成形したコイルの長さＬｏＢは、９０ｍｍ以上１８０ｍｍ以下であり、例えば１２０ｍｍである。尚、本実施形態では、外側コイル１３の後端側で素線８Ｂを巻回成形したコイルは、全長に渡って外側密巻き部１３Ｂである。そのため、外側コイル１３の後端側で素線８Ｂを巻回成形したコイルを、外側密巻き部１３Ｂとして説明する。よって、外側密巻き部１３Ｂは、外側コイル１３の芯線方向の長さの３／５以上である。
【００３０】
外側疎巻き部１３Ａと外側密巻き部１３Ｂは、芯線１１の先端部と後端部との間の接合部１５Ｄ（以下、中間接合部１５Ｄという）にて接合される。この中間接合部１５Ｄは、半田などのろう材やその他の接合部材が用いられる。接合に際しては、外側疎巻き部１３Ａの素線８Ａと外側密巻き部１３Ｂの素線８Ｂとの一部をねじ込み、このねじ込み部分にろう材を入れて両者を接合する方法や、素線同士を溶接などで接合する方法が用いられる。
【００３１】
外側疎巻き部１３ＡのコイルピッチＰｏは、素線８Ａの直径ｄｏの２倍未満の寸法とし、素線８Ａの直径ｄｏの１．０５倍以上１．９０倍以下であり、本実施形態では１．２５倍である。本実施形態では、素線８Ａの直径ｄｏが０．０６０ｍｍであるため、その１．２５倍がコイルピッチＰｏとなり、０．０７５ｍｍである。
【００３２】
内側コイル１４は、外側密巻き部１３Ｂと同様に、引張強さが２２００ＭＰａ以上３５００ＭＰａ以下のオーステナイト系ステンレス鋼線の素線９を用いて、１条又は複数条の円筒状に巻いて形成されている。
【００３３】
内側コイル１４は、外側コイル１３と第４等径部１１Ｇとの間に設けられ、外側コイル１３よりも全長Ｌｉが短く、かつ、外側コイル１３と同心で取り付けられる。内側コイル１４は、第４等径部１１Ｇが挿入された状態で、先端接合部１５Ａと、芯線１１の後端接合部１５Ｃとによって芯線１１と接合される。後端接合部１５Ｃは、外径が０．１００ｍｍ以上０．１２０ｍｍ以下の第４等径部１１Ｇに設けられる。
【００３４】
内側コイル１４の外径Ｄｉは、０．１５０ｍｍ以上０．２１０ｍｍ以下であり、本実施形態では０．２０５ｍｍである。内側コイル１４の芯線方向の長さ（全長）Ｌｉは、３０ｍｍ以上９０ｍｍ以下であり、本実施形態では６０ｍｍである。内側コイル１４の素線９の直径ｄｉは、０．０２０ｍｍ以上０．０４０ｍｍ以下であり、本実施形態では０．０３５ｍｍである。又、脳血管閉塞部治療用等の細血管治療に用いる場合を考慮すると、内側コイル１４の素線９の直径ｄｉは、０．０２０ｍｍである。内側コイル１４のコイル平均径Ｄａｉは、外径Ｄｉが０．２０５ｍｍであり、素線９の直径ｄｉが０．０３５ｍｍであることから、０．１７０ｍｍである。
【００３５】
内側コイル１４は、先端部側の疎巻き部（内側疎巻き部）１４Ａと、手元側の密巻き部（内側密巻き部）１４Ｂとを有する。内側疎巻き部１４Ａは、先丸形状の先端接合部１５Ａの内側から手元側へ向かって形成されている。この内側疎巻き部１４Ａの長さＬｉＡは、４ｍｍ以上１２ｍｍ以下であり、本実施形態では４ｍｍである。本実施形態では、内側コイル１４の芯線方向の全長Ｌｉが６０ｍｍであるため、内側疎巻き部１４Ａの長さＬｉＡは、全長の約６．７％である。又、内側コイル１４は引張強さが２２００ＭＰａ以上３５００ＭＰａ以下のオーステナイト系ステンレス鋼線の素線９により形成されているため、内側密巻き部１４Ｂは、縮径伸線加工、又は縮径伸線加工と熱処理とを組み合わせることにより引張り強さを容易に向上させることができ、かつ、高い横弾性係数を得て高いねじり応力が得られる。より好ましくは、内側コイル１４は、外側密巻き部１３Ｂと同様に、外観が鏡面状のオーステナイト系ステンレス鋼線で形成される。これにより、内側密巻き部１４Ｂにおいて、隣接する素線９が鏡面状で、かつ、同一材料であるため、隣接する素線９相互に強い凝着力が作用して摩擦抵抗力が増大するので、先端側への回転伝達性能を向上させることができる。内側コイル１４の素線９の巻き方向は、外側コイル１３と同一、すなわち、外側コイル１３がＺ巻の場合は、内側コイル１４もＺ巻である。
【００３６】
内側疎巻き部１４Ａは、芯線１１の先端に外側コイル１３、内側コイル１４を取り付けた状態で、外側疎巻き部１３Ａと芯線方向で同一位置に設けられる。内側疎巻き部１４ＡのコイルピッチＰｉは、素線９の直径ｄｉの２．０倍以上３．５倍以下であり、本実施形態では２．５倍である。本実施形態では、素線９の直径ｄｉが０．０３５ｍｍで２．５倍のため、コイルピッチＰｉは約０．０８７５ｍｍである。
【００３７】
内側密巻き部１４Ｂは、芯線１１の先端に外側コイル１３、内側コイル１４を取り付けた状態で、外側疎巻き部１３Ａと外側密巻き部１３Ｂとの境界である中間接合部１５を跨ぐようにして、芯線方向で同一位置に設けられる（すなわち、芯線１１に外側コイル１３及び内側コイル１４を取り付けた状態で、外側疎巻き部１３Ａと外側密巻き部１３Ｂとの境界を含む位置に配置される）。内側密巻き部１４Ｂは、外側密巻き部１３Ｂと同様に、素線９を螺旋状に巻いて形成する際に、隣接する素線９間に隙間が空かないように圧縮しながら巻いたため、初張力Ｆ２が作用している。
【００３８】
次に、図３を参照しながら、ねじり応力τ（τ１，τ２）とばね指数Ｃ（Ｃ１，Ｃ２）との関係について説明する。尚、図３に示すように、Ｌ１，Ｌ３，Ｌ４は、ばね指数が２．８以上６．８以下の場合の近似式であり、この範囲内を実線とし範囲外を点線としている。Ｌ２は、ばね指数が３．５以上５．５以下の場合の近似式であり、この範囲内を実線とし範囲外を点線としている。
【００３９】
図３は、ねじり応力τ（Ｎ／ｍｍ２）とばね指数Ｃとの相関関係を示し、横軸がばね指数、縦軸がねじり応力τ（Ｎ／ｍｍ２）のグラフである。このようなねじり応力τ（Ｎ／ｍｍ２）とばね指数Ｃとの相関関係は、予め試験を行った結果から導かれる。外側コイル１３のばね指数Ｃ１は、２．８以上６．８以下であり、本実施形態では約４．４２である。内側コイル１４のばね指数Ｃ２は、２．８以上６．８以下であり、本実施形態では約４．８６である。
【００４０】
外側密巻き部１３Ｂのばね指数Ｃ１を２．８以上６．８以下とし、内側密巻き部１４Ｂのばね指数Ｃ２を２．８以上６．８以下としたときに、外側密巻き部１３Ｂのねじり応力τ１、及び内側密巻き部１４Ｂのねじり応力τ２は、下記式（１）（２）を満たすことが好ましい。（図示符号Ｌ１とＬ４）
−１１．２Ｃ１＋１１１．７≦τ１≦−３８．７Ｃ１＋３７０．６・・・（１）
−１１．２Ｃ２＋１１１．７≦τ２≦−３８．７Ｃ２＋３７０．６・・・（２）
【００４１】
ねじり応力τ１，τ２が上記式（１）（２）の下限値未満となると、後端側の外側密巻き部１３Ｂ及び内側密巻き部１４Ｂから先端側への回転伝達性能が低下する。ねじり応力τ１，τ２が上記式（１）（２）の上限値を超えると、外側密巻き部１３Ｂ及び内側密巻き部１４Ｂと外側疎巻き部１３Ａ及び内側疎巻き部１４Ａとの境界等に生じる剛性の変化により、境界等で曲率半径が先端側へ向かって徐変減少せず、急激な折れ曲がりが発生し易くなり、先端側への回転伝達性能が低下する。従って、急激な折れ曲がりよる局部変形を防ぐとともに、先端側への回転伝達性能の低下を防止することを考慮すると、外側密巻き部１３Ｂのねじり応力τ１は上記式（１）を満たし、内側密巻き部１４Ｂのねじり応力τ２は上記式（２）を満たすことが好ましい。
【００４２】
より好ましくは、外側密巻き部１３Ｂ、及び内側密巻き部１４Ｂのばね指数Ｃ１、Ｃ２を２．８以上６．８以下としたときに、外側密巻き部１３Ｂのねじり応力τ１、及び内側密巻き部１４Ｂのねじり応力τ２は、下記式（３）（４）を満たすことが好ましい。（図示符号Ｌ１とＬ３）
−２１．８Ｃ１＋１９８．１≦τ１≦−３８．７Ｃ１＋３７０．６・・・（３）
−２１．８Ｃ２＋１９８．１≦τ２≦−３８．７Ｃ２＋３７０．６・・・（４）
【００４３】
外側密巻き部１３Ｂ及び内側密巻き部１４Ｂと外側疎巻き部１３Ａ及び内側疎巻き部１４Ａとの境界等での急激な折れ曲がりよる局部変形をより防ぐと共に、外側密巻き部１３Ｂ及び内側密巻き部１４Ｂから外側疎巻き部１３Ａ及び内側疎巻き部１４Ａへの回転伝達性能をより向上させることを考慮すると、外側密巻き部１３Ｂのねじり応力τ１は上記式（３）を満たし、内側密巻き部１４Ｂのねじり応力τ２は上記式（４）を満たすことがより好ましい。
【００４４】
さらに好ましくは、外側密巻き部１３Ｂ、及び内側密巻き部１４Ｂのばね指数Ｃ１、Ｃ２を３．５以上５．５以下としたときに、外側密巻き部１３Ｂのねじり応力τ１、及び内側密巻き部１４Ｂのねじり応力τ２は、下記式（５）（６）を満たすことが好ましい。（図示符号Ｌ１とＬ２）
−３０．９Ｃ１＋２８０．４≦τ１≦−３８．７Ｃ１＋３７０．６・・・（５）
−３０．９Ｃ２＋２８０．４≦τ２≦−３８．７Ｃ２＋３７０．６・・・（６）
【００４５】
外側密巻き部１３Ｂのねじり応力τ１は、ばね指数Ｃ１が約４．４２であることから、上記式（５）に基づいて、約１４３．８Ｎ／ｍｍ２以上約１９９．５Ｎ／ｍｍ２以下であり、本実施形態では約１６６．５Ｎ／ｍｍ２である。内側密巻き部１４Ｂのねじり応力τ２は、ばね指数Ｃ２が約４．８６であることから、上記式（６）に基づいて、約１３０．２Ｎ／ｍｍ２以上約１８２．５Ｎ／ｍｍ２以下であり、本実施形態では約１５１．４Ｎ／ｍｍ２である。
【００４６】
次に、外側密巻き部１３Ｂと内側密巻き部１４Ｂのねじり応力τと初張力Ｆとの関係を説明する。
【００４７】
初張力Ｆ（Ｎ）は、下記式（７）で表される。尚、ｄは素線の直径、τはねじり応力、Ｄａはコイル平均径を示す。
Ｆ＝πｄ３τ／（８Ｄａ）・・・（７）
【００４８】
初張力Ｆは、素線を螺旋状に巻いて形成する際に、負のコイルピッチを設けて巻回成形したことにより設けられるものである。従って、初張力Ｆは、負のコイルピッチの負の量を増減することにより、増減させることができる。これにより、外側密巻き部１３Ｂ及び内側密巻き部１４Ｂの初張力Ｆ１，Ｆ２のねじり応力τ１，τ２を、外側疎巻き部１３Ａ及び内側疎巻き部１４Ａとの相関関係により、高く設定したり、低く設定したりして調整することができる。
【００４９】
外側密巻き部１３Ｂの初張力Ｆ１と内側密巻き部１４Ｂの初張力Ｆ２との大小関係は、Ｆ１＞Ｆ２である。外側密巻き部１３Ｂの初張力Ｆ１は、外側コイル１３の素線８Ｂの直径ｄｏが０．０６０ｍｍ、外側密巻き部１３Ｂのねじり応力τ１が１６６．５Ｎ／ｍｍ２、外側コイル１３のコイル平均径Ｄａｏが０．２６５ｍｍであるので、上記式（７）に基づいて、約５．３３×１０−2Ｎである。内側密巻き部１４Ｂの初張力Ｆ２は、内側コイル１４の素線９の直径ｄｉが０．０３５ｍｍ、内側密巻き部１４Ｂのねじり応力τ２が１５１．４Ｎ／ｍｍ2、内側コイル１４のコイル平均径Ｄａｉが０．１７０ｍｍであるので、上記式（７）に基づいて、約１．５０×１０−2Ｎである。
【００５０】
外側疎巻き部１３Ａと外側密巻き部１３Ｂとの境界にある中間接合部１５Ｄでは、外側密巻き部１３Ｂは初張力Ｆ１が作用しているものの外側疎巻き部１３Ａは初張力が作用していないために、剛性に差が生じている。このため、外側疎巻き部１３Ａと外側密巻き部１３Ｂとの境界にある中間接合部１５Ｄでは、急激な折れ曲がりが発生し易くなっている。従って、中間接合部１５Ｄの後端側から先端側へ向かって曲率半径を徐変減少させることで急激な折れ曲がりを防ぐ。又、先端側への回転伝達性能の低下を防ぐことを考慮すると、外側疎巻き部１３Ａと外側密巻き部１３Ｂとの境界にある中間接合部１５Ｄを跨ぐようにして内側密巻き部１４Ｂを設け（すなわち、芯線１１に外側コイル１３及び内側コイル１４を取り付けた状態で、外側疎巻き部１３Ａと外側密巻き部１３Ｂとの境界を含む位置に内側密巻き部１４Ｂを配置させ）、外側密巻き部１３Ｂの初張力Ｆ１と内側密巻き部１４Ｂの初張力Ｆ２との大小関係をＦ１＞Ｆ２とすることが好ましい。
【００５１】
又、外側疎巻き部１３Ａの素線８Ａと外側密巻き部１３Ｂの素線８Ｂとの境界では、外側疎巻き部１３Ａの素線８Ａは白金とニッケルの合金線等で形成されているものの外側密巻き部１３Ｂの素線８Ｂは白金とニッケルの合金線等よりも縦弾性係数が高いオーステナイト系ステンレス鋼線で形成されているために、剛性に差が生じている。このため、外側疎巻き部１３Ａの素線８Ａと外側密巻き部１３Ｂの素線８Ｂとの境界では、急激な折れ曲がりが発生し易くなっている。従って、外側疎巻き部１３Ａの素線８Ａと外側密巻き部１３Ｂの素線８Ｂとの境界では、後端側から先端側へ向かって曲率半径を徐変減少させることで急激な折れ曲がりを防ぐ。又、先端側への回転伝達性能の低下を防ぐことを考慮すると、外側疎巻き部１３Ａの素線８Ａと外側密巻き部１３Ｂの素線８Ｂとの境界を跨ぐようにして内側密巻き部１４Ｂを設け（すなわち、芯線１１に外側コイル１３及び内側コイル１４を取り付けた状態で、外側コイル１３の素線８Ａと素線８Ｂとの境界を含む位置に内側密巻き部１４Ｂを配置させ）、外側密巻き部１３Ｂの初張力Ｆ１と内側密巻き部１４Ｂの初張力Ｆ２との大小関係をＦ１＞Ｆ２とすることが好ましい。
【００５２】
次に、外側コイル３のばね指数Ｃ１と内側コイル４のばね指数Ｃ２とを変化させた場合に、ばね指数Ｃ（Ｃ１、Ｃ２）と変形発生率（％）を評価するために用いられる評価装置１８について説明する。
【００５３】
図４に示すように、評価装置１８は、入口部１８ａと、屈曲蛇行部１８ｂとを有する。入口部１８ａは、内径ＩＤ１が２ｍｍである。屈曲蛇行部１８ｂは、内径ＩＤ２が０．５ｍｍである。屈曲蛇行部１８ｂは、半径ｒ１が５ｍｍの１８０度曲げ部１８ｃが６箇所に設けられる。この評価装置１８は、樹脂チューブによって形成される。
【００５４】
ここで、変形発生率（％）とは、外側コイル３及び内側コイル４の各試験品を、評価装置１８内へ２０回繰り返し挿入した後、挿入特性と回転伝達性能を評価することにより得られた塑性変形の不良発生率（％）のことである。
【００５５】
図５に示すように、変形発生率（％）は、ばね指数Ｃが６．８を超えると、急激に増大する。一方、変形発生率（％）は、ばね指数Ｃが２．８未満となると、螺旋状に巻いて形成した時に素線の表面に鱗紋やひび割れ等が発生し易くなる。従って、外側コイル３及び内側コイル４のばね指数Ｃ（Ｃ１、Ｃ２）は、外側コイル３及び内側コイル４の変形発生率やひび割れ等を考慮すると、２．８以上６．８以下である。
【００５６】
本実施形態によれば、外側コイル１３と内側コイル１４におけるばね指数Ｃ１，Ｃ２及びねじり応力τ１，τ２を一定範囲として、手元側の外側密巻き部１３Ｂ及び内側密巻き部１４Ｂの初張力Ｆ１，Ｆ２を高めたことにより、先端側に疎巻き部が設けられた場合であっても、先端側への回転伝達性能を向上させることができる。又、外側疎巻き部１３ＡのコイルピッチＰｏを素線８Ａの直径ｄｏの２倍未満としたことにより、塑性変形性能を向上させるとともに、コイル同士の噛み込み等を防ぐことができる。
【００５７】
外側コイル１３と内側コイル１４のばね指数Ｃ１，Ｃ２を一定範囲とし、外側密巻き部１３Ｂと内側密巻き部１４Ｂのねじり応力τ１，τ２の範囲をより狭い範囲としたことにより、疎巻き部が設けられた場合であっても、先端側への回転伝達性能をより向上させることができる。
【００５８】
内側密巻き部１４Ｂは、外側疎巻き部１３Ａと外側密巻き部１３Ｂとの境界にある中間接合部１５を跨ぐようにして芯線方向で同一位置に設け（すなわち、芯線１１に外側コイル１３及び内側コイル１４を取り付けた状態で、外側疎巻き部１３Ａと外側密巻き部１３Ｂとの境界を含む位置に配置させ）、外側密巻き部１３Ｂの初張力Ｆ１と内側密巻き部１４Ｂの初張力Ｆ２との大小関係をＦ１＞Ｆ２としたことにより、剛性が急激に変化しやすい外側疎巻き部１３Ａと外側密巻き部１３Ｂとの境界において曲率半径を徐変減少させ、局部変形を防ぐことができる。従って、血管内での挿入性を向上させることができる。
【００５９】
又、内側密巻き部１４Ｂは、外側疎巻き部１３Ａの素線８Ａと外側密巻き部１３Ｂの素線８Ｂとの境界を跨ぐようにして芯線方向で同一位置に設け（すなわち、芯線１１に外側コイル１３及び内側コイル１４を取り付けた状態で、外側コイル１３の素線８Ａと素線８Ｂとの境界を含む位置に配置させ）、外側密巻き部１３Ｂの初張力Ｆ１と内側密巻き部１４Ｂの初張力Ｆ２との大小関係をＦ１＞Ｆ２としたことにより、剛性が急激に変化しやすい素線８Ａと素線８Ｂとの境界において曲率半径を徐変減少させ、局部変形を防ぐことができる。従って、血管内での挿入性を向上させることができる。
【００６０】
外側疎巻き部１３Ａと内側疎巻き部１４Ａとは、芯線方向で同一位置に設けることにより、二重のコイル構造であっても剛直化が防止され、ガイドワイヤ１０の先端部の柔軟性が維持される。従って、血管壁とのソフトタッチが可能になる。又「へ」の字形の屈曲変形が容易に行え、塑性変形性能を向上させることができる。
【００６１】
外側疎巻き部１３ＡのコイルピッチＰｏと内側疎巻き部１４ＡのコイルピッチＰｉとを一定範囲とし、かつ外側疎巻き部１３ＡのコイルピッチＰｏと内側疎巻き部１４ＡのコイルピッチＰｉとを異ならせることにより、各疎巻き部１３Ａ，１４Ａにおいて、内側疎巻き部１４Ａの素線９が外側疎巻き部１３Ａの素線８Ａの間隙ｔｏへ食い込んだり、逆に、外側疎巻き部１３Ａの素線８Ａが内側疎巻き部１４Ａの素線９の間隙ｔｉへ食い込んだりする噛み合い現象を防ぐことができる。噛み合い現象が発生すると、ガイドワイヤ１０の先端部が局部的に変形し、この変形により狭窄病変内や完全閉塞病変内では病変組織に拘束されやすく、狭窄病変内や完全閉塞病変内を通過させることが困難となる。
【００６２】
外側密巻き部１３Ｂは隣接した素線８Ｂ間に初張力Ｆ１による圧縮力（密着力）が加わり、かつ、外側疎巻き部１３ＡはコイルピッチＰｏが、素線８Ａの直径ｄｏ（０．０６０ｍｍ）の２倍（０．１２０ｍｍ）未満（０．０７５ｍｍ）の寸法とし、これらを併用することにより、先端側への回転伝達性能の向上を図ると共に、術者による２本のガイドワイヤを用いる「パラレルワイヤ法」の手技時において、先に挿入している第１ガイドワイヤの外側疎巻き部１３Ａの素線８Ａ同士の間隙ｔｏに、後から導入する第２ガイドワイヤの外側疎巻き部１３Ａの素線８Ａが食い込む、噛み込み現象を防ぐことができる。尚、ここでいう「パラレルワイヤ法」とは、病変部内へ１本目の第１ガイドワイヤを挿入した後、第１ガイドワイヤを道案内として、後からもう１本の第２ガイドワイヤを導入し、第２ガイドワイヤで病変部内の本来通るべき血液通路（真腔）を捕えて、閉塞部の穿通を図る手技のことをいう。従って、第１ガイドワイヤを道案内として第２ガイドワイヤを導入した際に、素線８Ａの間隙ｔｏが素線８Ａの直径ｄｏよりも大きいと、一方のガイドワイヤの素線８Ａの間隙ｔｏへ他方のガイドワイヤの素線８Ａが食い込み、噛み込み現象が生じ易くなる。本発明の医療用ガイドワイヤは、この現象を防ぐことができ、第１ガイドワイヤと第２ガイドワイヤとが絡まることがない。
【００６３】
外側密巻き部１３Ｂに初張力Ｆ１が作用していることにより、予め素線８Ｂ間に圧縮力が加わり密着力が高められているため、外側密巻き部１３Ｂに引張力が加えられたときに、隣接した素線８Ｂが離間するまで（隙間が開くまで）の間に、この引張力に対する抵抗力として初張力Ｆ１が作用する。従って、手元側を回転操作したときに、先端側への回転伝達性能を向上させることができる。
【００６４】
外側密巻き部１３Ｂの素線８Ｂ及び、内側密巻き部１４Ｂの素線９は、外観が鏡面状のオーステナイト系ステンレス鋼線を用いて形成したことにより、隣接する素線８Ｂ又は素線９が鏡面状で、かつ、同一材料であるため、隣接する素線８Ｂ又は素線９相互に強い凝着力が作用して摩擦抵抗力が増大するので、先端側への回転伝達性能を向上させることができる。
【００６５】
（第２実施形態）
第１実施形態のガイドワイヤ１０は、図１に示すように、外側コイル１３と内側コイル１４とを、共に手元側から先端側へ向かって外径を等しく形成したが、第２実施形態のガイドワイヤ２０は、図６に示すように、外側コイル２３と内側コイル２４との外径を、共に手元側から先端側へ向かって徐変縮径する構成である。その他の構成は第１実施形態と同一であり、同一構成部材には、同一符号を付して重複した説明を省略している。
【００６６】
外側コイル２３は、外側疎巻き部２３Ａと、外側密巻き部２３Ｂとを有する。外側疎巻き部２３Ａは、先丸形状の先端接合部１５Ａの内側から手元側へ少なくとも１０ｍｍの範囲に設けられる。尚、外側疎巻き部２３ＡのコイルピッチＰｏ、素線８Ａの間隙ｔｏ、素線８Ａ，８Ｂの直径ｄｏ、外側コイル２３の材質や、外側コイル２３を少なくとも１本の素線８Ａ，８Ｂを巻いて円筒に形成する点等においては、第１実施形態と同様である。又、外側疎巻き部２３Ａと外側密巻き部２３Ｂは、第１実施形態と同様に、中間接合部１５Ｄにて接合される。
【００６７】
外側コイル２３は、手元側から順に大径等径部３１、中間テーパ部３２、小径等径部３３を有する。内側コイル２４も、手元側から順に大径等径部４１、中間テーパ部４２、小径等径部４３を有する。これら各部３１〜３３、４１〜４３を識別するために、外側コイル２３の各部３１〜３３には外側を付けて、外側大径等径部３１、外側中間テーパ部３２、外側小径等径部３３とし、内側コイル２４の各部４１〜４３には内側を付けて、内側大径等径部４１、内側中間テーパ部４２、内側小径等径部４３としている。
【００６８】
外側大径等径部３１の外径Ｄｏ２は、０．３２５ｍｍであり、コイル平均径Ｄａｏ２は０．２６５ｍｍである。外側中間テーパ部３２の外径は、０．３２５ｍｍから０．２６０ｍｍへ徐変縮径する。外側小径等径部３３の外径Ｄｏ１は、０．２６０ｍｍであり、コイル平均径Ｄａｏ１は０．２００ｍｍである。
【００６９】
外側コイル２３の全長Ｌｏは１５５ｍｍである。外側大径等径部３１の長さＬｏ１は１２０ｍｍである。外側中間テーパ部３２の長さＬｏ２は２０ｍｍである。外側小径等径部３３の長さＬｏ３は１５ｍｍである。
【００７０】
外側大径等径部３１の外径Ｄｏ２と、外側小径等径部３３の外径Ｄｏ１との外径比Ｄｏ２／Ｄｏ１は、１．１０以上１．５０以下であり、第２実施形態では約１．２５である。又、下肢血管治療用に用いられているガイドワイヤの最大外径０．４５７２ｍｍ（０．０１８インチ）の場合を考慮すると、外径比Ｄｏ２／Ｄｏ１は、１．１０以上１．８０以下である。そして、心臓血管治療用と下肢血管治療用との双方を併せて考慮すると、外径比Ｄｏ２／Ｄｏ１は、１．１０以上１．８０以下であり、好ましくは１．１５以上１．８０以下である。
【００７１】
外側コイル２３に生ずるねじりモーメントは、大径等径部３１と小径等径部３３の外径比Ｄｏ２／Ｄｏ１に比例する。そのため、外径比Ｄｏ２／Ｄｏ１が下限値１．１０を下回れば手元側から先端側へのねじりモーメントは低くなって狭窄部や完全閉塞病変部の病変組織にガイドワイヤが拘束されて通過させることは困難となる。又、外径比Ｄｏ２／Ｄｏ１が上限値１．８０を上回れば、後述する内側コイル２４の小径等径部４３の外径Ｄｉ１を小さくするために素線９の直径ｄｉをさらに細径化しなければならず、そのように素線９の直径ｄｉをさらに細径化すると強度不足を招く。従って、治療する部位と血管内径と拡径治療に用いる各医療用具の実用寸法を併せて考慮すると、外径比Ｄｏ２／Ｄｏ１は、１．１０以上１．８０以下であり、好ましくは１．１５以上１．８０以下である。
【００７２】
内側コイル２４は、先丸形状の先端接合部１５Ａの内側から手元側へ少なくとも３ｍｍの範囲に内側疎巻き部２４Ａが設けられ、手元側に内側密巻き部２４Ｂが設けられる。内側疎巻き部２４ＡのコイルピッチＰｉは、素線９の直径ｄｉの２．０倍から３．５倍である。第２実施形態では、素線９の直径ｄｉが０．０３５ｍｍであり、コイルピッチＰｉを素線９の直径ｄｉの２．５倍としているため、コイルピッチＰｉは約０．０８８ｍｍとなる。従って、内側疎巻き部２４ＡのコイルピッチＰｉ（約０．０８８ｍｍ）は、外側疎巻き部２３ＡのコイルピッチＰｏ（０．０７５ｍｍ）と異なる。尚、内側コイル２４を設ける位置、材質、強度特性、少なくとも１本の素線を巻いて円筒に形成する点等においては、第１実施形態と同様である。
【００７３】
内側大径等径部４１の外径Ｄｉ２は０．２０５ｍｍであり、コイル平均径Ｄａｉ２は０．１７０ｍｍである。内側中間テーパ部４２の外径は、０．２０５ｍｍから０．１５０ｍｍへ徐変縮径する。内側小径等径部４３の外径Ｄｉ１は、０．１３５ｍｍであり、コイル平均径Ｄａｉ１は０．１００ｍｍである。
【００７４】
内側コイル２４の全長Ｌｉは５５ｍｍである。内側大径等径部４１の長さＬｉ１は２０ｍｍ、内側中間テーパ部４２の長さＬｉ２は２０ｍｍ、内側小径等径部４３の長さＬｉ３は１５ｍｍである。
【００７５】
内側大径等径部４１の外径Ｄｉ２と、内側小径等径部４３の外径Ｄｉ１との外径比Ｄｉ２／Ｄｉ１は１．１５以上１．７０以下であり、第２実施形態では約１．５２である。又、下肢血管治療用に用いられているガイドワイヤの最大外径０．４５７２ｍｍ（０．０１８インチ）の場合を考慮すると、外径比Ｄｉ２／Ｄｉ１は１．１５以上２．８０以下である。心臓血管治療用と下肢血管治療用との双方を併せて考慮すると、外径比Ｄｉ２／Ｄｉ１は１．１５以上２．８０以下であり、好ましくは１．１５以上２．７５以下であり、より好ましくは１．２５以上２．７５以下である。
【００７６】
次に、外側コイル２３と内側コイル２４のばね指数Ｃ、及び外側密巻き部２３Ｂと内側密巻き部２４Ｂのねじり応力τついて説明する。外側密巻き部２３Ｂのばね指数Ｃ１及びねじり応力τ１については、第１実施形態と同様である。
【００７７】
内側密巻き部２４Ｂのばね指数Ｃ２は、内側大径等径部４１の密巻き部のばね指数Ｃ２１と、内側小径等径部４３の密巻き部のばね指数Ｃ２２とに区分けされる。ばね指数Ｃ２２は、約４．８６である。ばね指数Ｃ２２は、約２．８６である。ばね指数Ｃ２１とばね指数Ｃ２２は、いずれも２．８以上６．８以下である。
【００７８】
内側密巻き部２４Ｂのねじり応力τ２は、内側大径等径部４１の密巻き部のねじり応力τ２１と、内側小径等径部４３の密巻き部のねじり応力τ２２とに区分けされる。ねじり応力τ２１は、ばね指数Ｃ２１が約４．８６であることから、上記式（６）に基づいて、約１３０．２Ｎ／ｍｍ２以上約１８２．５Ｎ／ｍｍ２以下であり、第２実施形態では約１５１．４Ｎ／ｍｍ２である。ねじり応力τ２２は、ばね指数Ｃ２２が約２．８６であることから、上記式（４）に基づいて、約１３５．７Ｎ／ｍｍ２以上約２５９．９Ｎ／ｍｍ２以下であり、第２実施形態では約２５７．１Ｎ／ｍｍ２である。
【００７９】
次に、外側密巻き部２３Ｂと内側密巻き部２４Ｂの初張力Ｆについて説明する。外側密巻き部２３Ｂの初張力Ｆ１については、第１実施形態と同様である。
【００８０】
内側密巻き部２４Ｂの初張力Ｆ２は、内側大径等径部４１の密巻き部の初張力Ｆ２１と、内側小径等径部４３の密巻き部の初張力Ｆ２２とに区分けされる。初張力Ｆ２１は、素線９の直径ｄｉが０．０３５ｍｍ、ねじり応力τ２１が約１５１．４Ｎ／ｍｍ２、コイル平均径Ｄａｉ２が０．１７０ｍｍであるので、上記式（７）に基づいて、約１．５０×１０−2Ｎである。初張力Ｆ２２は、素線９の直径ｄｉが０．０３５ｍｍ、ねじり応力τ２２が２５７．１Ｎ／ｍｍ２、コイル平均径Ｄａｉ１が０．１００ｍｍであるので、上記式（７）に基づいて、約４．３３×１０−2Ｎである。
【００８１】
外側密巻き部２３Ｂの初張力Ｆ１と内側大径等径部４１の初張力Ｆ２１との大小関係は、Ｆ１＞Ｆ２１である。
【００８２】
第２実施形態によれば、外側コイル２３と内側コイル２４の双方の形状を手元側から先端側へ向かって「大径等径部、中間テーパ部、小径等径部」とする概ね同形状とすることにより、手元側の芯線の回転による先端側への回転伝達性能を向上させることができる。これは、ねじりモーメントは大径等径部と小径等径部の外径比に比例することから、手元側の外径を径大化し、先端側を径小化すれば、その外径比に対応して回転伝達性能が向上する。又、内側コイル２４の先端側の内側疎巻き部２４Ａと外側コイル２３の外側疎巻き部２３Ａとを、芯線１１方向で同一位置に設けることにより、先端の柔軟性の確保と「へ」の字形の易屈曲性と塑性変形性能の向上効果が得られる。従って、病変部への分岐血管部での所望の病変部血管への任意選択性の向上、及び、病変部内の通過性を向上させることができる。
【００８３】
外側コイル２３と内側コイル２４の外径比を一定範囲とし、内側コイル２４の外径比Ｄｉ２／Ｄｉ１は、外側コイル２３の外径比Ｄｏ２／Ｄｏ１よりも大きくした｛（Ｄｉ２／Ｄｉ１）＞（Ｄｏ２／Ｄｏ１）｝ことにより、最先端側への回転伝達性能をより高めることができる。内側コイル２４の後端接合部１５Ｃは、芯線１１の第４等径部１１Ｇで接合され、その第４等径部１１Ｇの外径は０．１００ｍｍ以上０．１２０ｍｍ以下である。そして、外側コイル２３の後端接合部１５Ｂは、芯線１１の第３等径部１１Ｅで接合され、その第３等径部１１Ｅの外径は０．１６０ｍｍ以上０．１９０ｍｍ以下である。すなわち、外側コイル２３と内側コイル２４とが接合する芯線１１の外径は、内側コイル２４のほうが外側コイル２３よりも明らかに小さい寸法である。これにより、手元側の太径の芯線１１を回転させたとき、外側コイル２３のねじりモーメントよりも、内側コイル２４のねじりモーメントの方が、外側コイル２３と内側コイル２４とが接合する芯線１１の外径が細いのに比例して低くなる。従って、内側コイル２４の外径比Ｄｉ２／Ｄｉ１を外側コイル２３の外径比Ｄｏ２／Ｄｏ１よりも大きくしたことにより、この内側コイル２４のねじりモーメントの低下分が内側コイル２４の外径比を高めることによって補完され、最先端側への回転伝達性能をより高めることができる。
【００８４】
外側コイル２３と内側コイル２４に外側疎巻き部２３Ａ，内側疎巻き部２４Ａを容易に形成するためには、複数の素線８（８Ａ，８Ｂ），９を用いて円筒に形成するよりも、それぞれ１本の素線８，９を用いて円筒に形成することが望ましい。複数本の素線を用いて外側疎巻き部２３Ａ，内側疎巻き部２４Ａを形成する場合には、素線の巻き方向とは逆方向へ素線を巻き戻して、素線間に隙間を空けなければならず、複数本のそれぞれの素線間の隙間を均一にすることが困難になる。又、ろう材等を用いて芯線１１と接合する場合に、特に芯線方向の中間部で接合する場合には、コイルの中間部で均一な素線間の隙間にする必要があり、加工が極めて困難になる。これに対して、１本の素線を巻いたコイルの場合には、芯線方向へ張力を加えるのみで素線間の隙間を任意に設定することができ、しかもコイルの端部や中間部などのいずれの場所でも素線間の隙間を調節することができる。
【００８５】
本発明の技術思想は、内側コイルを備えていない外側コイルのみのガイドワイヤであっても、本発明の効果を発揮させることができる。つまり、
手元側は太径であり、先端側は先端へ向かって徐変縮径する芯線と、
少なくとも１本の素線を螺旋状に巻いて、先端に形成された疎巻き部が前記芯線の先端に、後端に形成された密巻き部が前記芯線の先端部に接合されるコイルであり、先端側が放射線不透過性の素線で、後端側が前記放射線透過性のオーステナイト系ステンレス鋼線の素線であるコイルとを備えた医療用ガイドワイヤにおいて、
前記コイルは、ばね指数Ｃが２．８以上６．８以下で、初張力によるねじり応力をτ（Ｎ／ｍｍ２）としたときに、
−１１．２Ｃ＋１１１．７≦τ≦−３８．７Ｃ＋３７０．６の式を満たすことを特徴とする医療用ガイドワイヤである。又、コイルが手元側から先端側へ向かって大径等径部、中間テーパ部、小径等径部とから成る場合であっても、本発明の効果を発揮させることができる。
【００８６】
尚、後端接合部１５Ｃは、外径が０．１２０ｍｍから０．０６ｍｍで先端側へ向けて徐変縮径する第３テーパ部１１Ｆに設けても良い。この場合、内側コイル１４，２４は、先端接合部１５Ａと、第３テーパ部１１Ｆに設けられた後端接合部１５Ｃとによって芯線１１と接合される。
【００８７】
尚、内側コイル１４，２４は、先端側への回転伝達性能と塑性変形性能とを向上させるために、内側疎巻き部１４Ａ，２４Ａと内側密巻き部１４Ｂ，２４Ｂを設ける例で説明したが、内側コイル１４，２４を全長に亘って内側密巻き部１４Ｂ，２４Ｂとしても良い。内側コイル１４，２４を全長に亘って内側密巻き部１４Ｂ，２４Ｂとした場合は、内側コイル１４，２４の先端側への回転伝達性能をより向上させることができる。
【００８８】
内側疎巻き部１４Ａ，２４Ａは、外側疎巻き部１３Ａ，２３Ａと少なくとも芯線方向で同一位置に設けられていればよい。従って、外側疎巻き部１３Ａ，２３Ａ、外側密巻き部１３Ｂ，２３Ｂ、内側疎巻き部１４Ａ，２４Ａ、内側密巻き部１４Ｂ，２４Ｂの長さの芯線方向の長さは適宜変更してもよい。又、外側疎巻き部１３ＡのコイルピッチＰｏ、内側疎巻き部１４ＡのコイルピッチＰｉは、先端側へ向かって徐変拡大した構成としてもよい。
【００８９】
第２テーパ部１１Ｄ、第３等径部１１Ｅ、第３テーパ部１１Ｆに代えて、第２等径部１１Ｃの先端側の端部から第４等径部１１Ｇの手元側の端部に向けて外径が徐変縮径する第４テーパ部を設けても良い。この場合、外側コイル１３，２３は、後端接合部１５Ｂが設けられた第４テーパ部と、先端接合部１５Ａとによって芯線１１と接合される。又、内側コイル１４，２４は、後端接合部１５Ｃが設けられた第４テーパ部と、先端接合部１５Ａとによって芯線１１と接合される。
【符号の説明】
【００９０】
１０、２０  ガイドワイヤ
１１  芯線
１３、２３  外側コイル
１４、２４  内側コイル
２３Ａ  外側疎巻き部
２３Ｂ  外側密巻き部
２４Ａ  内側疎巻き部
２４Ｂ  内側密巻き部
１５Ａ  先端接合部
１６  ふっ素樹脂被膜
１７  親水性樹脂被膜
【要約】
【課題】医療用ガイドワイヤの先端側への回転伝達性能及び塑性変形性能を向上させるとともに、コイルの素線同士の噛み合い現象を防ぐ。
【解決手段】芯線１１の先端部に、外側コイル１３と内側コイル１４を二重にして接合する。外側コイル１３と内側コイル１４におけるばね指数Ｃ１，Ｃ２と、外側密巻き部１３Ｂと内側密巻き部１４Ｂのねじり応力τ１，τ２とを一定範囲とする。手元側の外側密巻き部１３Ｂ及び内側密巻き部１４Ｂの初張力Ｆ１，Ｆ２を高めたことにより、先端側に疎巻き部が設けられた場合であっても、先端側への回転伝達性能が向上する。外側疎巻き部１３ＡのコイルピッチＰｏを素線８Ａの直径ｄｏの２倍未満とすることにより、塑性変形性能が向上し、素線同士の噛み合いも無くなる。
【選択図】図２【図１】
0005565847.tif 000002
【図２】
0005565847.tif 000003
【図３】
0005565847.tif 000004
【図４】
0005565847.tif 000005
【図５】
0005565847.tif 000006
【図６】
0005565847.tif 000007